(57)【要約】【課題】  ホースを曲げてもチェーンの切断・変形等が防止され、かつチェーンの交換も容易に行え、炭酸泉撹拌器のメンテナンスも簡便にできる炭酸泉撹拌手段の固定継手を提供する。【解決手段】  炭酸泉供給部２と炭酸泉排出部３を、炭酸泉撹拌手段を備えたホース１で連結した炭酸泉製造装置における炭酸泉撹拌手段の固定継手１１であり、前記炭酸泉供給部２あるいは炭酸泉排出部３への取付手段を備えた取付部２１と、前記ホース１への固定手段を備えたホース固定部３１と、前記ホース固定部３１の内部に構成した変形機能を有する炭酸泉撹拌手段の係止手段４０とからなる炭酸泉撹拌手段の固定継手。【選択図】図１
2018038529.tif 000002
【特許請求の範囲】
【請求項１】
炭酸泉供給部と炭酸泉排出部を、炭酸泉撹拌手段を備えたホースで連結した炭酸泉製造装置における炭酸泉撹拌手段の固定継手であり、前記炭酸泉供給部あるいは炭酸泉排出部への取付手段を備えた取付部と、前記ホースへの固定手段を備えたホース固定部と、前記ホース固定部の内部に構成した変形機能を有する炭酸泉撹拌手段の係止手段とからなることを特徴とする炭酸泉撹拌手段の固定継手。
【請求項２】
前記取付部の取付手段をねじによって構成し、前記ホース固定部の固定手段を蛇腹管によって構成したことを特徴とする請求項１記載の炭酸泉撹拌手段の固定継手。
【請求項３】
前記取付部の取付手段をねじによって構成し、前記ホース固定部の固定手段をホース固定部の外周に設けた段部によって構成したことを特徴とする請求項１記載の炭酸泉撹拌手段の固定継手。
【請求項４】
炭酸泉供給部と炭酸泉排出部を、炭酸泉撹拌手段を備えたホースで連結した炭酸泉製造装置における炭酸泉撹拌手段の固定継手であり、前記炭酸泉供給部あるいは炭酸泉排出部へのねじによる取付手段を備えた取付部と、前記ホースへのねじによる固定手段を備えたホース固定部と、前記取付部とホース固定部を連結する連結部と、前記連結部の内部に構成した変形機能を有する炭酸泉撹拌手段の係止手段とからなることを特徴とする炭酸泉撹拌手段の固定継手。
【請求項５】
前記炭酸泉撹拌手段の係止手段を棒状部材と環状伸縮材によって構成し、前記棒状部材の一端又は両端をホース固定部の内周に固定し、前記棒状部材に前記環状伸縮材を取り付けたことを特徴とする請求項１又は２又は３記載の炭酸泉撹拌手段の固定継手。
【請求項６】
前記炭酸泉撹拌手段の係止手段を棒状部材と環状伸縮材によって構成し、前記棒状部材の一端又は両端を連結部の内周に固定し、前記棒状部材に前記環状伸縮材を取り付けたことを特徴とする請求項５記載の炭酸泉撹拌手段の固定継手。  
【発明の詳細な説明】
【技術分野】
【０００１】
本発明は、炭酸泉製造装置のホース内部に取り付ける炭酸泉撹拌手段の固定継手に関するものである。
【背景技術】
【０００２】
従来より、炭酸ガスが溶解した湯又は水である炭酸泉は優れた保温作用があることが知られており、炭酸泉製造装置も多数提案されている。本発明者は、特許文献１により炭酸泉製造装置のホースの内部に収納する撹拌手段に関する発明を提案した。そしてホース内部に撹拌手段を取り付ける手段として特許文献２の発明を提案した。
【先行技術文献】
【特許文献】
【０００３】
【特許文献１】特許第５２５９８６９号公報
【０００４】
【特許文献２】特開２０１５−５１０２７号公報
【０００５】
特許文献２記載の発明は、特許文献１では開示されていなかったホース内部への撹拌手段であるチエーンの取付け方法を提案している。それによれば、ホース（１０）の前端に固定具（１８）を設けチェーン（２９）の球体部（２９ｂ）を係止し、後端も同様に固定具（１９）を設け球体部（２９ｂ）を係止したものである。
【発明の概要】
【発明が解決しようとする課題】
【０００６】
前記特許文献２記載の発明では、固定具（１８）（１９）がホースに固定されているから、ホース（１０）を曲げるとチェーン（２９）の伸縮性が小さいためチェーン（２９）が切れるという課題があり、またホース（１０）内のチェーン（２９）の交換が困難であった。
【０００７】
本発明はこのような課題を解決するもので、ホースを曲げてもそれに伴ってチェーンも伸縮してチェーンの切断・変形等が防止され、かつチェーンの交換も容易に行え、炭酸泉撹拌器のメンテナンスも簡便にできる炭酸泉撹拌手段の固定継手を提供することを目的とする。
【課題を解決するための手段】
【０００８】
請求項１に記載の発明は、炭酸泉供給部と炭酸泉排出部を、炭酸泉撹拌手段を備えたホースで連結した炭酸泉製造装置における炭酸泉撹拌手段の固定継手であり、前記炭酸泉供給部あるいは炭酸泉排出部への取付手段を備えた取付部と、前記ホースへの固定手段を備えたホース固定部と、前記ホース固定部の内部に構成した変形機能を有する炭酸泉撹拌手段の係止手段とからなることを特徴とする炭酸泉撹拌手段の固定継手である。
【０００９】
請求項２に記載の発明は、前記取付部の取付手段をねじによって構成し、前記ホース固定部の固定手段を蛇腹管によって構成したことを特徴とする炭酸泉撹拌手段の固定継手である。
【００１０】
請求項３に記載の発明は、前記取付部の取付手段をねじによって構成し、前記ホース固定部の固定手段をホース固定部の外周に設けた段部によって構成したことを特徴とする炭酸泉撹拌手段の固定継手である。
【００１１】
請求項４に記載の発明は、炭酸泉供給部と炭酸泉排出部を、炭酸泉撹拌手段を備えたホースで連結した炭酸泉製造装置における炭酸泉撹拌手段の固定継手であり、前記炭酸泉供給部あるいは炭酸泉排出部へのねじによる取付手段を備えた取付部と、前記ホースへのねじによる固定手段を備えたホース固定部と、前記取付部とホース固定部を連結する連結部と、前記連結部の内部に構成した変形機能を有する炭酸泉撹拌手段の係止手段とからなることを特徴とする炭酸泉撹拌手段の固定継手である。
【００１２】
請求項５に記載の発明は、前記炭酸泉撹拌手段の係止手段を棒状部材と環状伸縮材によって構成し、前記棒状部材の一端又は両端をホース固定部の内周に固定し、前記棒状部材に前記環状伸縮材を取り付けたことを特徴とする炭酸泉撹拌手段の固定継手である。
【００１３】
請求項６に記載の発明は、前記炭酸泉撹拌手段の係止手段を棒状部材と環状伸縮材によって構成し、前記棒状部材の一端又は両端を連結部の内周に固定し、前記棒状部材に前記環状伸縮材を取り付けたことを特徴とする炭酸泉撹拌手段の固定継手である。
【発明の効果】
【００１４】
請求項１記載の炭酸泉撹拌手段の固定継手によれば、炭酸泉供給部あるいは炭酸泉排出部への取付手段を備えた取付部と、ホースへの固定手段を備えたホース固定部とからなり、ホース固定部の内部に炭酸泉撹拌手段を取り付けるための変形機能を有する炭酸泉撹拌手段の係止手段を構成したから、使用中にホース内で撹拌手段であるチェーンが変形、ねじれ、伸縮等の変動をしても、炭酸泉撹拌手段の係止手段がチェーンの変動に対応して変形するから、チェーンの切断・変形等が防止される。また炭酸泉供給部あるいは炭酸泉排出部に対して着脱自在であるからチェーンの交換、清掃も容易に行え、炭酸泉製造装置のメンテナンスも簡便にできる等の効果を奏する。  
【００１５】
請求項２記載の炭酸泉撹拌手段の固定継手によれば、取付部の取付手段をねじによって構成し、ホース固定部の固定手段を蛇腹管によって構成したから、炭酸泉供給部あるいは炭酸泉排出部に確実に螺合することができ、かつホースへ簡単かつ確実に取り付けることができる。
【００１６】
請求項３記載の炭酸泉撹拌手段の固定継手によれば、取付部の取付手段をねじによって構成し、ホース固定部の固定手段をホース固定部の外周に設けた段部によって構成したため、炭酸泉供給部あるいは炭酸泉排出部に確実に螺合することができ、かつホースへ簡単かつ確実に取り付けることができる。
【００１７】
請求項４記載の炭酸泉撹拌手段の固定継手によれば、取付部の取付手段とホース固定部の固定手段をねじによって構成し、この取付部とホース固定部を連結部で連結し、前記連結部の内部に変形機能を有する炭酸泉撹拌手段の係止手段を構成したから炭酸泉供給部あるいは炭酸泉排出部及びホースに確実に螺合することができる。
【００１８】
請求項５及び請求項６記載の炭酸泉撹拌手段の固定継手によれば、炭酸泉撹拌手段の係止手段を棒状部材と環状伸縮部材とし、前記棒状部材の一端又は両端をホース固定部あるいは連結部の内周に固定し、前記棒状部材に環状伸縮部材を取り付けたから、簡易な構成ながら炭酸泉の流れを妨げることなく、炭酸泉撹拌手段の係止手段が変形するため炭酸泉撹拌手段の動きを吸収でき炭酸泉撹拌手段の切断・変形等を防止できる。
【図面の簡単な説明】
【００１９】
【図１】炭酸泉撹拌手段の固定継手の使用説明図
【図２】炭酸泉撹拌手段の固定継手の第１実施形態の正面断面図
【図３】炭酸泉撹拌手段の固定継手の第２実施形態の正面図
【図４】炭酸泉撹拌手段の固定継手の第３実施形態の正面断面図
【図５】炭酸泉撹拌手段の固定継手の第４実施形態の正面図
【図６】炭酸泉撹拌手段の固定継手の第５実施形態の正面断面図
【図７】炭酸泉撹拌手段の固定継手の第６実施形態の正面断面図
【図８】炭酸泉撹拌手段の固定継手の第７実施形態の正面断面図
【図９】炭酸泉撹拌手段の係止手段の第１実施形態の使用状態を示す平面図
【図１０】炭酸泉撹拌手段の係止手段の第１実施形態の使用状態を示す一部切欠き正面断面図
【図１１】炭酸泉撹拌手段の係止手段の第２実施形態の使用状態を示す平面図
【図１２】炭酸泉撹拌手段の係止手段の第２実施形態の使用状態を示す一部切欠き正面断面図
【図１３】炭酸泉撹拌手段の係止手段の第３実施形態の使用状態を示す平面図
【図１４】炭酸泉撹拌手段の係止手段の第３実施形態の使用状態を示す一部切欠き正面断面図
【発明を実施するための形態】
【００２０】
本発明の炭酸泉撹拌手段の固定継手（以下、固定継手という）の実施形態を説明する。図１に基づき固定継手１１を用いた炭酸泉製造装置の使用状態を説明すると、内部に撹拌手段であるチェーン５を複数配置したホース１の下端を固定継手１１を介して炭酸泉供給部２に連結し、ホース１の上端を固定継手１１を介して炭酸泉排出部であるシャワーヘッド３に連結してある。
【００２１】
なお、前記固定継手１１は、実施形態１の固定継手であるが、他の実施形態の固定継手も適用できる。また撹拌手段もチェーンに限らず他の公知のものを使用できる。
【００２２】
図２に示すように、実施形態１の固定継手１１は硬質材質からなる円筒形の取付部２１と、この取付部２１の端部に一体に構成した円筒形のホース固定部３１からなり、このホース固定部３１内周に炭酸泉撹拌手段の係止手段（以下、係止手段という）４０が設けられている。前記係止手段４０は硬質材質からなる棒状部材４１と、この棒状部材４１の任意の位置に移動可能に配置された、チェーン５を掛止するための環状伸縮材４２とからなる。
炭酸泉は取付部２１とホース固定部３１を通過できると共に、係止手段４０はその通過を妨げるものではない。
【００２３】
前記取付部２１は、炭酸泉供給部２とシャワーヘッド３への取付手段として、内周に雌ねじ２１ａを刻設してあり、シャワーヘッド３あるいは炭酸泉供給部２の雄ねじ（図示せず）と螺合する。
【００２４】
前記ホース固定部３１は固定手段としての蛇腹管により構成されており、ホース１の上下端に着脱自在に取り付けることができる。
【００２５】
前記固定継手１１では、実施形態１の係止手段４０を用いて説明してあるが、係止手段は後述の実施形態２又は３のものを使用できる。
【００２６】
上記のように構成した固定継手１１の炭酸泉製造装置への取り付けについて説明する。
まず一方の固定継手１１の環状伸縮材４２にチェーン５の端部を掛け、ホース固定部３１をホース１の上端に固定する。その後前記チェーン５をホース１の内部を通して下端から出し、その端部を他方の固定継手１１の環状伸縮材４２に掛けて、ホース固定部３１をホース１の下端に固定する。その後、前記ホース１の両端に固定された固定継手１１を、取付部２１によってそれぞれ炭酸泉供給部２とシャワーヘッド３に螺合して固定する（図１参照）。
【００２７】
炭酸泉製造装置の使用に際しては炭酸泉がシャワーヘッド３より供給されるが、炭酸泉供給部２から送られてくる炭酸泉がホース１を通過するときに、内部のチェーン５によって混合されるため、純度の高い炭酸泉が製造されシャワーヘッド３より供給されるのである。
【００２８】
実施形態１の固定継手１１によれば、ホース固定部３１が蛇腹管のため、ホース１の上下端に容易かつ確実に取り付けることができる。
また、取付部２１を炭酸泉供給部２とシャワーヘッド３へ取り付ける際も螺合によって行うため、容易かつ確実、迅速に取り付けることができる。さらに取り付け及び取り外しが簡単にできるため、ホース１内部の清掃、チェーン５の清掃あるいは増減や交換も容易に行うことができ清潔さが保たれる等メンテナンスの面からも効果がある。
【００２９】
図３に基づいて固定継手の実施形態２を説明する。
実施形態２の固定継手１２は、上部の取付部２２の外周に取付手段として雄ねじ２２ａを刻設したもので、炭酸泉供給部とシャワーヘッドの雌ねじ（図示せず）と螺合する。その他の構成及び作用、効果は前記実施形態１と同様のため説明を省略する。なお図３ではチェーン５を省略してある。
【００３０】
図４に基づいて固定継手の実施形態３を説明する。
実施形態３の固定継手１３は、上部の取付部２１は前記実施形態１の取付部２１と同様の構成である。ホース固定部３３は硬質材質からなる円筒形であり、下部外周全域に一定幅、一定高さの段部３４（固定手段）を突設してあり、この段部３４がホース１の上下端内周に固定されるため、固定継手１３をホース１の上下端に容易、確実、かつ着脱自在に固定することができる。その他の構成及び作用、効果は前記実施形態１と同様のため説明を省略する。
【００３１】
図５に基づいて固定継手の実施形態４を説明する。
実施形態４の固定継手１４は、取付部２２は前記実施形態２の取付部２２と同様の構成である。ホース固定部３３及び段部３４は、前記実施形態３の固定継手１３と同様の構成である。その他の構成及び作用、効果は前記実施形態３と同様であるため説明を省略する。なお図５ではチェーン５を省略してある。
【００３２】
図６に基づいて固定継手の実施形態５を説明する。
実施形態５の固定継手１５は、取付部２１とホース固定部２３を連結部３５で連結し、この連結部３５の内周に係止手段４０として、チェーン５を支持する棒状部材４１の両端を固定したものである。
前記取付部２１とホース固定部２３は前記実施形態１の固定継手１１の取付部２１と同様の構成である。前記連結部３５は一定の強度を有する硬質材質からなる円筒形である。
【００３３】
図７に基づいて固定継手の実施形態６を説明する。
実施形態６の固定継手１６の取付部２２は前記実施形態２の取付部２２と同様の構成であり、ホース固定部２３は、前記第１実施形態の固定継手１１の取付部２１と同様の構成である。また連結部３５及び係止手段４０は前記第５実施形態と同様の構成である。
【００３４】
図８に基づいて固定継手の実施形態７を説明する。
実施形態７の固定継手１７の取付部２２とホース固定部２４は前記第２実施形態の取付部２２と同様の構成であり、連結部３５及び係止手段４０は前記第５実施形態と同様の構成である。
【００３５】
上記固定継手の実施形態５乃至７は、いずれもホース固定部と取付部が雌ねじあるいは雄ねじ構造になっていて、炭酸泉供給部とシャワーヘッド及びホースの連結部がねじ構造の場合に対応できる。ねじ構造であるから着脱が容易で、取付け状態が確実であるというメリットがある。また、前記固定継手１５、１６、１７は、炭酸泉供給部２あるいはシャワーヘッド３のネジに合わせて、ホース固定部と取付部を逆にしても使用できる。
【００３６】
係止手段４０の実施形態を図９乃至図１４に基づいて説明する。これらの図は、前記固定継手のホース固定部又は連結部（以下、ホース固定部という）に取り付けた係止手段を模式的に表したものである。
【００３７】
図９及び図１０に基づいて係止手段の実施形態１を説明する。
本実施形態の係止手段４０は、ホース固定部３６の直径位置に水平に設置した硬質材質からなり、両端４１ａ，４１ａをホース固定部３６の内周に固定した棒状部材４１と、この棒状部材４１の任意の位置に移動可能に配置した環状伸縮材４２からなる。
前記環状伸縮材４２は、耐水性、耐温水性に優れ、伸縮機能に富んだゴム、合成樹脂又はそれらの複合材で環状に成型された部品であり、棒状部材４１に対し移動自在に配置されている。前記環状伸縮材４２にチェーン５の先端を係止する。
【００３８】
炭酸泉製造装置を使用する際には、シャワーへッド３を手に持って動かすから、それに付随して動くホース１に伴ってチェーン５が移動、搖動あるいは伸縮する。棒状部材４１に設けた環状伸縮材４２は伸縮機能に富んだ材質であるため、使用中におけるホース１の曲げ伸ばし等の変形に伴うチェーン５の伸縮等の変動に対応して、環状伸縮材４２が下方に伸びたり棒状部材４１を移動してチェーン５の動きに追随するためチェーン５が切断・変形等が生じるおそれがなくなる。
【００３９】
図１１及び図１２に基づいて係止手段の実施形態２を説明する。
本実施形態の係止手段５０は、ホース固定部３６の半径位置に棒状部材５１を水平に設置し、この棒状部材５１の一端５１ａのみをホース固定部３６の内周に固定し他端を自由端とし、この自由端を上方に折り曲げて係止端部５１ｂを構成する。
この棒状部材５１に環状伸縮材４４を取り付けてある。環状伸縮材４４は、前記実施形態１のものと同様である。
【００４０】
本実施形態の効果は前記実施形態１の効果に加えて、構成が簡単になると共に棒状部材５１の固定とチェーン５の係止が容易となる。  
【００４１】
図１３及び図１４に基づいて係止手段の実施形態３を説明する。
本実施形態の係止手段６０は、ホース固定部３６の半径位置に水平に設置した棒状部材６１の一端６１ａをホース固定部３６の内周に固定し、他端を自由端とし、この自由端を上方に折り曲げて係止端部６１ｂを構成する。前記２個の棒状部材６１をホース固定部３６の内周に対向して固定し、この一対の棒状部材６１に環状伸縮材４６を架け渡す。
前記環状伸縮材４６にチェーン５を係止する。これによりチェーン５が安定して係止される。効果は前記実施形態２の効果に加え環状伸縮材４６の強度が増すというメリットがある。
【００４２】
前記各実施形態の係止手段は直線状の棒状部材を用いているが、その他の形状、例えば十字形の棒状部材や円板形あるいは網形で周囲をホース固定部３６の内周に固定するものなどが考えられる。この場合は係止手段がホース固定部に確実に取り付けることができ、かつチェーン５を安定して支持できること及び炭酸泉の通過を妨げないこと等が必要な構成となる。
【００４３】
前記実施形態では、シャワーヘッドを用いたシャワー装置について説明したが、これに限定されず浴槽等への炭酸泉の供給手段にも適用できるものである。本発明の炭酸泉撹拌手段の固定継手は、炭酸泉供給装置内で少なくとも水流の上流側に使用することとし、下流側はチェーン等の撹拌手段は係止しなくても良い。ただし例えばシャワー装置のように撹拌手段を垂直状にして使用し、水流の上流が下側に位置する場合は、この継手は撹拌手段の両端に設置することが望ましい。
【符号の説明】
【００４４】
１  ホース                          ２  炭酸泉供給部
３  シャワーヘッド(炭酸泉排出部)    ５  チェーン（撹拌手段）
１１  固定継手                      １２  固定継手
１３  固定継手                      １４  固定継手
１５  固定継手                      １６  固定継手
１７  固定継手                      ２１  取付部
２１ａ  雌ねじ                      ２２  取付部
２２ａ  雄ねじ                      ２３  ホース固定部
２４  ホース固定部                  ３１  ホース固定部
３３  ホース固定部                  ３４  段部
３５  連結部                        ３６  ホース固定部
４０  係止手段                      ４１  棒状部材
４２  環状伸縮材                    ４４  環状伸縮材
４６  環状伸縮材                    ５０  係止手段
５１  棒状部材                      ６０  係止手段
６１  棒状部材
【図１】
2018038529.tif 000003
【図２】
2018038529.tif 000004
【図３】
2018038529.tif 000005
【図４】
2018038529.tif 000006
【図５】
2018038529.tif 000007
【図６】
2018038529.tif 000008
【図７】
2018038529.tif 000009
【図８】
2018038529.tif 000010
【図９】
2018038529.tif 000011
【図１０】
2018038529.tif 000012
【図１１】
2018038529.tif 000013
【図１２】
2018038529.tif 000014
【図１３】
2018038529.tif 000015
【図１４】
2018038529.tif 000016